(57)【特許請求の範囲】
【請求項１】
設定可能な効率を持つベースバンドフィルタと、
設定可能な効率を持ち、かつ前記ベースバンドフィルタに結合されたアップコンバータと、
を備え、
前記ベースバンドフィルタおよび前記アップコンバータは、選択された出力電力レベルに基づいて、第１の出力電力範囲において第１の効率レベルで動作するように、ならびに第２の出力電力範囲において第２の効率レベルで動作するように構成され、前記ベースバンドフィルタは、デジタルアナログコンバータ（ＤＡＣ）出力のＤＣレベルを低減するように構成されたＤＣブリード回路を備え、前記ＤＣブリード回路は、前記選択された出力電力レベルに基づいて前記第１または第２の効率レベルでの動作のために設定可能である、装置。
【請求項２】
前記第２の効率レベルは、前記第１の効率レベルよりも高い、請求項１に記載の装置。
【請求項３】
前記第１の効率レベルは、クラスＡ動作モードによって提供され、前記第２の効率レベルは、クラスＡ／Ｂ、クラスＢ、およびクラスＣ動作モードのうちの１つによって提供される、請求項１に記載の装置。
【請求項４】
前記ＤＣブリード回路は、前記ＤＡＣ出力に接続されたドレイン端子を持つトランジスタ、システム接地に接続されたソース端子、前記システム接地およびバイアス電圧のうちの１つに選択的に接続されたゲート端子を備える、請求項１に記載の装置。
【請求項５】
前記ベースバンドフィルタは、前記ＤＡＣ出力を受信し、整流された出力を作り出すように構成された整流器回路を備え、前記整流器回路は、前記選択された出力電力レベルに基づいて前記第１または第２の効率レベルでの動作のために設定可能である、請求項１に記載の装置。
【請求項６】
前記整流器回路は、前記ＤＣブリード回路に選択的に接続される、接続されたソース端子を持つ第１および第２のトランジスタを備える、請求項５に記載の装置。
【請求項７】
調整された整流された出力を生成するために、前記整流された出力を受信し、テール電流を取り除くように構成されたトランスインピーダンスループをさらに備え、トランスインピーダンス回路は、前記選択された出力電力レベルに基づいて前記第１または第２の効率レベルでの動作のために設定可能である、請求項５に記載の装置。
【請求項８】
前記トランスインピーダンスループは、前記整流器回路と結合された第１、第２、および第３のトランジスタを備える、請求項７に記載の装置。
【請求項９】
前記トランスインピーダンスループからの前記調整された整流された出力を増幅するように構成されたトランスコンダクタンスセルをさらに備え、前記トランスコンダクタンスセルは、前記選択された出力電力レベルに基づいて前記第１または第２の効率レベルでの動作のために設定可能である、請求項７に記載の装置。
【請求項１０】
前記トランスコンダクタンスセルは、前記トランスインピーダンスループに結合された少なくとも１つのトランジスタを備える、請求項９に記載の装置。
【請求項１１】
前記第１の出力電力範囲は、前記第２の出力電力範囲よりも高い、請求項１に記載の装置。
【請求項１２】
フィルタされたベースバンド信号を生成するためにベースバンド信号をフィルタするための手段と、前記フィルタするための手段は、設定可能な効率を持ち、
無線周波数信号を生成するために前記フィルタされたベースバンド信号をアップコンバートするための手段と、前記アップコンバートするための手段は、設定可能な効率を有し、
選択された出力電力レベルに基づいて、第１の出力電力範囲において第１の効率レベルで動作するように、ならびに第２の出力電力範囲において第２の効率レベルで動作するように、前記フィルタするための手段および前記アップコンバートするための手段を構成するための手段と、
を備え、
前記フィルタするための手段は、デジタルアナログコンバータ（ＤＡＣ）出力のＤＣレベルを低減する手段を備え、前記低減する手段は、前記選択された出力電力レベルに基づいて前記第１または第２の効率レベルでの動作のために設定可能である、
装置。
【請求項１３】
前記第２の効率レベルは、前記第１の効率レベルよりも高い、請求項１２に記載の装置。
【請求項１４】
前記第１の効率レベルは、クラスＡ動作モードによって提供され、前記第２の効率レベルは、クラスＡ／Ｂ、クラスＢ、およびクラスＣ動作モードのうちの１つによって提供される、請求項１２に記載の装置。
【請求項１５】
前記第１の出力電力範囲は、前記第２の出力電力範囲よりも高い、請求項１２に記載の装置。
【請求項１６】
フィルタされたベースバンド信号を生成するためにベースバンド信号をフィルタすることと、前記フィルタすることは、設定可能な効率で行われ、
無線周波数信号を生成するために前記フィルタされたベースバンド信号をアップコンバートすることと、前記アップコンバートすることは、設定可能な効率で行われ、
選択された出力電力レベルに基づいて、第１の出力電力範囲において第１の効率レベルで行われるように、ならびに第２の出力電力範囲において第２の効率レベルで行われるように、前記フィルタすることおよび前記アップコンバートすることを構成することと、
を備え、
前記フィルタすることは、デジタルアナログコンバータ（ＤＡＣ）出力のＤＣレベルを低減することを備え、前記低減することは、前記選択された出力電力レベルに基づいて前記第１または第２の効率レベルでの動作のために設定可能である、
方法。
【請求項１７】
前記構成することは、前記フィルタすることおよび前記アップコンバートすることを構成することを備え、前記第１の効率レベルはクラスＡ動作によって提供され、前記第２の効率レベルはクラスＡ／Ｂ、クラスＢ、およびクラスＣ動作のうちの１つによって提供される、請求項１６に記載の方法。
【請求項１８】
前記構成することは、前記フィルタすることおよび前記アップコンバートすることを構成することを備え、前記第１の出力電力範囲は、前記第２の出力電力範囲よりも高い、請求項１６に記載の方法。
【発明の詳細な説明】
【技術分野】
【０００１】
[0001] 本出願は、概して、ワイヤレスデバイスの動作および設計に関し、より具体的には、ワイヤレスデバイスのための設定可能な送信機の設計および動作に関する。
【背景技術】
【０００２】
[0002] 低電力を消費している間に高品質の送信および受信が可能なワイヤレスデバイスを持つ需要の高まりが存在する。高品質を達成する１つの鍵は、デバイスの送信機の性能と関連付けられている。例えば、その全体の出力電力範囲をわたって効率的に動作する送信機を持つことが望ましい。
【０００３】
[0003] 既存の送信機の設計では、ベースバンド（ＢＢ）フィルタおよびアップコンバータは、ベースバンド信号をフィルタし、そのフィルタされた信号を送信のための無線周波数（ＲＦ）にアップコンバートするために使用される。通常、ベースバンドフィルタおよびアップコンバータの両方が、最大電力で厳しい線形性要件を満たすように、全体の出力電力範囲の全域でクラスＡ動作のために構成されている。残念なことに、ワイヤレスデバイスにおける通常の連続通話時間中のような、より低い出力電力では、クラスＡ動作は非常に非効率であり、それによりバッテリの寿命を低減する。したがって、ワイヤレスデバイスにおいて使用するより効率的な送信機を持つことが望ましい。
【図面の簡単な説明】
【０００４】
[0004] ここに記述された前述の態様は、添付図面と関連して考慮されたとき、以下の記述への参照により、より容易に明らかになるであろう。
【図１】ベースバンドフィルタおよびアップコンバータを備える従来のワイヤレス送信機のブロック図を図示する。
【図２】ベースバンドフィルタおよびアップコンバータを備える従来のワイヤレス送信機の一部を図示する。
【図３】設定可能なベースバンドフィルタおよびアップコンバータの実例となる実施形態を備えるワイヤレス送信機のブロック図を図示する。
【図４】設定可能なベースバンドフィルタおよびアップコンバータの実例となる実施形態を備えるワイヤレス送信機の一部を図示する。
【図５】ワイヤレスデバイスにおいて使用する設定可能なベースバンドフィルタおよびアップコンバータの装置の実例となる実施形態を図示する。
【図６】ワイヤレスデバイスにおいて設定可能にベースバンドフィルタすることおよびアップコンバートすることを提供するための方法の実例となる実施形態を図示する。
【詳細な説明】
【０００５】
[0011] 添付図面に関連して以下に述べられる詳細な説明は、本発明の実例となる実施形態の記述として意図され、本発明が実施されうる唯一の実施形態を表すようには意図されない。本記述の全体にわたって使用される「実例となる（ｅｘｅｍｐｌａｒｙ）」という用語は、「例、事例、または例示としての役割をする」を意味し、他の実例となる実施形態に対して必ずしも好ましいまたは有利であるようには解釈されるべきではない。詳細な説明は、本発明の実例となる実施形態の完全な理解を提供することを目的とした特定の詳細を含む。本発明の典型的な実施形態は、これらの特定の詳細なしで実施されうることが当業者に明らかになるであろう。いくつかの事例では、周知の構造およびデバイスは、ここに示される実例となる実施形態の新規性を曖昧にすることを避けるために、ブロック図形式で図示される。
【０００６】
[0012] 図１は、ベースバンドフィルタ１０２およびアップコンバータ１０４を備える従来のワイヤレス送信機１００のブロック図を図示している。ベースバンドフィルタ１０２は、ベースバンド信号を受信し、アップコンバータ１０４に入力されるフィルタされたベースバンド信号を出力する。アップコンバータ１０４は、局部発振器（ＬＯ）信号を受信し、ドライバ増幅器１０６に入力される無線周波数（ＲＦ）信号にフィルタされたベースバンド信号をアップコンバートするために、このＬＯ信号を使用する。ドライバ増幅器１０６は、その出力で増幅されたＲＦ信号を作り出すために、それが受信するＲＦ信号を増幅するように動作する。
【０００７】
[0013] この従来の送信機１００では、ベースバンドフィルタ１０２およびアップコンバータ１０４は、全体の送信電力範囲の至る所でクラスＡ動作のために構成されている。例えば、ベースバンドフィルタ１０２およびアップコンバータ１０４は、最大電力で厳しい線形性要件を満たすようにクラスＡ動作のために構成されている。残念なことに、ワイヤレスデバイスにおける通常の連続通話時間中のような、より低い出力電力では、クラスＡ動作は、非常に非効率であり、それによりバッテリの寿命を低減する。
【０００８】
[0014] 図２は、ベースバンドフィルタ２０２およびアップコンバータ２０４を備える従来のワイヤレス送信機２００の一部を図示している。この従来の送信機２００では、ベースバンドフィルタ２０２およびアップコンバータ２０４は、全体の送信電力範囲の至る所でクラスＡ動作のために構成されている。
【０００９】
[0015] 動作中、デジタルアナログコンバータ（ＤＡＣ）は、電流領域において、変調されたベースバンド信号を生成する。ＤＡＣ電流（ＩＤＡＣ）は、Ｉｍの大きさを有する直流（ＩＤＣ）コンポーネントおよび交流電流（ＡＣ）コンポーネントを備える。信号電流およびＤＣ電流は、以下の式によって関連する。
【数１】
0005813889.tif 000002
【００１０】
[0016] ＢＢフィルタ２０２は、Ｒ１＊Ｃ１およびＲ２＊Ｃ２の時間定数をそれぞれ持つ２つのポールを有するカレント・ミラー（ＣＭ）を備える。ＢＢフィルタ２０２の入力ループは、トランジスタＭ１、Ｍ２を備える。トランジスタＭｐは、高い電力レベルで線形性を向上させるために、ＤＣコンポーネント（Ｉｔａｉｌ＝０．１５ＩＤＣ）をＤＡＣ電流に加える。入力電流Ｉｉｎは、ミラーリングされ、ＢＢフィルタ利得ファクタ（Ｇｂｂｆ）の分、増幅される。４つのチャネルが存在するため、アップコンバータ２０４のＤＣ電流は、以下の式から決定されうる。
【数２】
0005813889.tif 000003
【００１１】
[0017] 図３は、設定可能なベースバンドフィルタ３０２およびアップコンバータ３０４の実例となる実施形態を備えるワイヤレス送信機３００のブロック図を図示する。例えば、ベースバンドフィルタ３０２およびアップコンバータ３０４は、設定可能な効率で動作させられうる。設定可能なベースバンドフィルタ３０２は、ベースバンド信号を受信し、設定可能なアップコンバータ３０４に入力されるフィルタされたベースバンド信号を出力する。アップコンバータ３０４は、局部発振器（ＬＯ）信号を受信し、ドライバ増幅器３０６に入力される無線周波数（ＲＦ）信号にフィルタされたベースバンド信号をアップコンバートするために、このＬＯ信号を使用する。ドライバ増幅器３０６は、その出力で増幅されたＲＦ信号を作り出すために、それが受信するＲＦ信号を増幅するように動作する。
【００１２】
[0018] 高い送信電力で動作するとき、ベースバンドフィルタ３０２およびアップコンバータ３０４は、最大電力要件を満たすために、クラスＡ動作モード（つまり、第１の効率レベル）で動作するように構成されうる。連続通話時間のインターバル中に、あるいは、より低い送信電力が使用される他の時間中に動作するとき、ベースバンドフィルタ３０２およびアップコンバータ３０４は、第１の効率レベルよりもより高い効率を提供し、それによりバッテリ電力を節約する、クラスＡ／Ｂ、クラスＢ、またはクラスＣモードのような、より高い効率動作モード（つまり、第２の効率レベル）で動作するように構成されうる。
【００１３】
[0019] 送信機３００の出力電力要件を決定するコントローラ３０８が提供されている。例えば、コントローラ３０８は、ワイヤレスデバイスにおける別のエンティティ（図示せず）から送信機３００の出力電力要件の指示を受信する。コントローラ３０８は、ベースバンドフィルタ３０２およびアップコンバータ３０４に結合されているクラス選択信号（ａ、ｂ）３２０を出力するように動作する。この記述のために、クラス選択信号（ａ、ｂ）は、出力電力要件に依存して、第１の効率レベル（つまり、クラスＡ動作モード）あるいは、クラスＢ動作モードまたはより高いもののような、より高い第２の効率レベルで動作するように、ベースバンドフィルタ３０２およびアップコンバータ３０４を構成するように使用される。様々な実例となる実施形態では、ベースバンドフィルタ３０２およびアップコンバータ３０４がクラスＡ／Ｂ、クラスＢ、またはクラスＣのようないくつかのより高い効率動作モードにおいて動作するように構成されうることは留意されるべきである。したがって、ベースバンドフィルタ３０２およびアップコンバータ３０４がより高い効率動作モードにおいて動作するように構成されるインターバル中に、より低い電力が消費され、それにより、ワイヤレスデバイスのバッテリ寿命を高める。
【００１４】
[0020] 図４は、設定可能なベースバンドフィルタ４０２およびアップコンバータ４０４の実例となる実施形態を備えるワイヤレス送信機４００の一部を図示する。例えば、送信機４００は、ワイヤレスデバイスにおける使用に適している。ベースバンドフィルタ４０２およびアップコンバータ４０４は、設定可能な効率を持ち、クラスＡ動作モード（第１の効率レベル）における動作と、クラスＡ／Ｂ、クラスＢ、またはクラスＣのような、より高い効率動作モード（第２の効率レベル）における動作との間で設定可能である。より高い効率動作モードは、連続通話時間中、または他の低出力電力の時間インターバル中にバッテリ電流を節約するために、低出力電力中で使用される。ベースバンドフィルタ４０２およびアップコンバータ４０４は、最大電力要件を満たすために、送信機の最大電力範囲においてクラスＡ動作モードに設定可能である。
【００１５】
[0021] より高い効率動作モードがクラスＢ動作モードである送信機４００の動作は、以下で記述される。しかしながら、他の実施形態では、より高い効率動作モードは、クラスＡ／Ｂ動作モードまたはクラスＣ動作モードのような、別の高効率動作モードであることができる。
【００１６】
[0022] 図４で図示されているように、ＢＢフィルタ４０２は、トランジスタ（Ｍｂ）を備える可変ＤＣ電流ブリード回路（ｖａｒｉａｂｌｅ  ＤＣｃｕｒｒｅｎｔ  ｂｌｅｅｄｃｉｒｃｕｉｔ）４０６を有するＤＡＣ、トランジスタ（Ｍｒｎ、Ｍｒｐ）を備える半波長の電流整流器回路４０８、単一ポールＲＣフィルタ（Ｒ１、Ｃ１）、トランジスタ（Ｍ１、Ｍ２、およびＭｐ）を備える設定可能なトランスインピーダンス入力ループ４１０、および第２のＲＣポール（Ｒ２、Ｃ２）を備える。アップコンバータ４０４は、アップコンバータカッド切り替えデバイス（ｕｐｃｏｎｖｅｒｔｅｒ  ｑｕａｄ  ｓｗｉｔｃｈｉｎｇ  ｄｅｖｉｃｅｓ）４１４を供給する（Ｍ３と指定された）トランジスタのセットを備える設定可能な相互コンダクタンスセル４１２を備える。
【００１７】
[0023] ＢＢフィルタ４０２およびアップコンバータ４０４はさらに、クラスＡ動作モードとより高い効率動作モードとの間のＢＢフィルタ４０２およびアップコンバータ４０４を構成するように使用される追加の回路およびスイッチを備える。例えば、ＢＢフィルタ４０２およびアップコンバータ４０４の効率は、スイッチ４１６−４２０およびスイッチ４２２−４２５によって構成される。スイッチは、クラスＡ動作モード、または、例えばクラスＢ動作モードのような、より高い効率動作モードのどちらかで動作するようにＢＢフィルタ４０２およびアップコンバータ４０４を構成するバイアス条件および回路接続を設定するように動作する。
【００１８】
[0024] コントローラ３０８（図４では図示せず）は、以下で記述されるように、スイッチの動作を制御するように動作する。例えば、クラスＡ動作モードにおいて動作するようにベースバンドフィルタ４０２およびアップコンバータ４０４を構成するために、スイッチ４２２−４２５は、「オン」状態（つまり、閉）に設定され、スイッチ４１６−４２０は、「オフ」状態（つまり、開）に設定される。より高い効率クラスＢ動作モードにおいて動作するようにベースバンドフィルタ４０２およびアップコンバータ４０４を構成するために、スイッチ４２２−４２５は、「オフ」状態に設定され、スイッチ４１６−４２０は、「オン」状態に設定される。コントローラ３０８は、クラスＡモードまたはより高い効率クラスＢ動作モードのどちらかを有効にするようにスイッチを制御するために、（つまり、オフまたはオン状態のどちらかを設定するために）スイッチ制御信号ａ、ｂを出力するように動作する。
【００１９】
[0025] より高い効率クラスＢ動作モードにおいて、電流ブリード回路４０６は、トランジスタＭｂを通じて接地にＤＡＣ出力のＤＣ電流コンポーネント（ＩＤＣ）を流すように動作する。大きさ（Ｉｍ）を有する残りのＡＣ電流は、半波長の電流整流器回路４０８のトランジスタＭｒｎおよびＭｒｐを整流することに移る。
【００２０】
[0026] 半波長の電流整流器回路４０８は、ＤＡＣ  ＡＣ電流の正のサイクルを選択する。トランジスタＭｒｐは、電流の正サイクルを処理し、設定可能なトランスインピーダンス入力ループ４１０のトランジスタＭ１のソースに移る半波長の整流された電流パルスを生成する。ＤＡＣ  ＡＣ電流の負のサイクルは、トランジスタＭｒｎを介して１．２Ｖ電源（ｓｕｐｐｌｙ）にルーティングされる。
【００２１】
[0027] 設定可能なトランスインピーダンス入力ループ４１０は、低電力で余剰の電流を確保しておくように動作する。トランジスタＭ２の周りのダイオード接続されたトランジスタにカレント・ミラーの入力ループを効率的に切り替えて、テール電流ソースは、トランジスタＭｐをオフに切り替えることによって止められ、トランジスタＭ１のゲートは、２．１Ｖ電源に接続される。
【００２２】
[0028] 電流パルスは、トランジスタＭ２を通過し、この実例となる実施形態では、負のパルス電流の損失を補うために倍増（double）にされる、ＢＢフィルタ（２＊Ｇｂｂｆ）の利得の分増幅される。チャネル毎の信号電流が、トランスコンダクタンスセル４１２の出力トランジスタＭ３を通じて流れる。
【００２３】
[0029] 半波長の整流された電流パルスのフーリエ級数分析は、チャネル毎の出力トランジスタＭ３を通じて流れるこの周期的な半波長の整流された信号が、（２＊Ｇｂｂｆ＊Ｉｍ／π）の値を有するＤＣ信号、および（Ｇｂｂｆ＊Ｉｍ）の値を有する基本波に分解されうることを図示している。４つのチャネルが存在するため、アップコンバータＤＣ電流は、以下の式から決定されうる。
【数３】
0005813889.tif 000004
【００２４】
[0030] クラスＢモードにおいて動作するとき、ＢＢフィルタおよびアップコンバータの実施形態によって提供される電流節約は、以下の式から計算されることができる。
【数４】
0005813889.tif 000005
【数５】
0005813889.tif 000006
【数６】
0005813889.tif 000007
【００２５】
ここにおいて、Iupc,class-bおよびIupc,class-aは、クラスＡおよびクラスＢ動作におけるそれぞれのアップコンバータのＤＣ１．２Ｖ電源電流である。トランジスタＭｒｎを介して１．２Ｖ電源にルーティングされた整流された負の電流サイクルは、（Ｉｍ／π）の分、１．２電源電流を増加させることは留意されるべきである。しかしながら、Ｇｂｂｆが約１２であるので、式（４）から（６）は実質的に電流節約の正確な表示である。上記の式によって提示されているように、ベースバンドフィルタおよびアップコンバータの実例となる実施形態は、従来の回路と比較されると、４４％よりも多い割合でアップコンバータ電流消費を低減するように動作する。
【００２６】
[0031] 図５は、ワイヤレスデバイスにおいて使用する設定可能なベースバンドフィルタおよびアップコンバータの装置５００の実例となる実施形態を図示する。例えば、装置５００は、図４で図示されているＢＢフィルタ４０２およびアップコンバータ４０４としての使用に適している。一態様では、装置５００は、ここで記述されているように、機能を提供するように構成された１つまたは複数のモジュールによってインプリメントされる。例えば、一態様では、各モジュールは、ハードウェアおよび／またはハードウェア実行ソフトウェアを備える。
【００２７】
[0032] 装置５００は、フィルタされたベースバンド信号を生成するためにベースバンド信号をフィルタするための手段（５０２）を備える第１のモジュールを備え、フィルタするための手段は、設定可能な効率で動作し、それは、一態様では、ＢＢフィルタ４０２を備える。
【００２８】
[0033] 装置５００はまた、無線周波数信号を生成するためにフィルタされたベースバンド信号をアップコンバートするための手段（５０４）を備える第２のモジュールを備え、アップコンバートするための手段は設定可能な効率で動作し、それは、一態様では、アップコンバータ４０４を備える。
【００２９】
[0034] 装置５００はまた、第１の出力電力範囲において第１の効率レベルで動作するように、ならびに第２の出力電力範囲において第２の効率レベルで動作するように、フィルタするための手段（５０２）およびアップコンバートするための手段（５０４）を構成するための手段（５０６）を備える第３のモジュールを備え、それは、一態様では、スイッチ４１６−４２０および４２２−４２５を備える。
【００３０】
[0035] 図６は、ワイヤレスデバイスにおいて設定可能にベースバンドフィルタすることおよびアップコンバートすることを提供する方法６００の実例となる実施形態を図示する。例えば、実例となる実施形態では、方法６００は、図４で図示されているＢＢフィルタ４０２およびアップコンバータ４０４と関連して図３で図示されているコントローラ３０８によって行われる。
【００３１】
[0036] ブロック６０２において、フィルタすることは、フィルタされたベースバンド信号を生成するためにベースバンド信号をフィルタするために行われる。フィルタすることは、設定可能な効率で行われる。実例となる実施形態では、フィルタすることは、図４で図示されているベースバンドフィルタ４０２によって行われる。
【００３２】
[0037] ブロック６０４において、アップコンバートすることは、無線周波数信号を生成するためにフィルタされたベースバンド信号をアップコンバートするように行われる。アップコンバートすることは、設定可能な効率で行われる。実例となる実施形態では、アップコンバートすることは、図４で図示されているアップコンバータ４０４によって行われる。
【００３３】
[0038] ブロック５０６において、構成することは、第１の出力電力範囲において第１の効率レベルで行われるように、ならびに第２の出力電力範囲において第２の効率レベルで行われるように、フィルタすることおよびアップコンバートすることを構成するように行われる。例えば、実例となる実施形態では、第１の出力電力範囲は、第２の出力電力範囲よりも高く、第２の効率レベルは、第１の効率レベルよりも高い。実例となる実施形態では、構成することは、図３で図示されているコントローラ３０８によって行われる。
【００３４】
[0039] 当業者は、情報および信号が、様々な異なる技術および技法のうちのいずれかを用いて表されうる、または処理されうることを理解するであろう。例えば、上の記述の全体を通して参照されうるデータ、命令群、コマンド、情報、信号、ビット、シンボル、およびチップは、電圧、電流、電磁波、磁界あるいは磁気粒子、光学界または光学粒子、あるいはそれらのあらゆる組み合わせによって表わされうる。トランジスタタイプおよび技法は、同じ結果を達成するために置き換えられる、再配列される、そうでなければ変更されることができることはさらに留意されたい。例えば、ＰＭＯＳトランジスタを利用して図示される回路は、ＮＭＯＳをトランジスタを使用するために変更されることができ、その反対も同様である。したがって、ここで開示される増幅器は、様々なトランジスタタイプおよび技術を使用して実現されることができ、添付図面で例示されているそれらのトランジスタタイプおよび技法に限定されない。例えば、ＢＪＴ、ＧａＡｓ、ＭＯＳＦＥＴ、またはあらゆる他のトランジスタ技法のようなトランジスタタイプは使用されうる。
【００３５】
[0040] 当業者は、ここに開示された実施形態に関係して記述された様々な例示的な論理ブロック、モジュール、回路、およびアルゴリズムステップが、電子ハードウェア、コンピュータソフトウェア、または両方の組み合わせとしてインプリメントされうることをさらに認識するであろう。ハードウェアおよびソフトウェアのこの互換性を明確に例示するために、様々な例示的なコンポーネント、ブロック、モジュール、回路、およびステップが、概してそれらの機能の観点から上で記述された。このような機能が、ハードウェアとしてインプリメントされるか、あるいはソフトウェアとしてインプリメントされるかは、特定のアプリケーションおよびシステム全体に課せられる設計制約に依存する。当業者は、各特定のアプリケーションに関して、多様な方法で、記述された機能をインプリメントすることができるけれども、そのようなインプリメンテーションの決定は、本発明の実例となる実施形態の範囲からの逸脱を引き起こしていると解釈されるべきでない。
【００３６】
[0041] ここに開示された実施形態に関係して記述された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいはここに記述された機能を行うように設計されるそれらのあらゆる組み合わせで、インプリメントまたは実行されうる。汎用プロセッサは、マイクロプロセッサでありうるが、代替において、このプロセッサは、あらゆる従来のプロセッサ、コントローラ、マイクロコントローラ、またはステートマシン（ｓｔａｔｅｍａｃｈｉｎｅ）でありうる。プロセッサはまた、コンピューティングデバイスの組み合わせとして、例えば、ＤＳＰとマイクロプロセッサの組み合わせ、複数のマイクロプロセッサ、ＤＳＰコアと関連する１つまたは複数のマイクロプロセッサ、あるいは、あらゆる他のそのような構成としてインプリメントされうる。
【００３７】
[0042] ここで開示された実施形態に関係して説明されたアルゴリズムまたは方法のステップは、直接ハードウェアにおいて、プロセッサによって実施されるソフトウェアモジュールにおいて、またはこれら２つの組み合わせにおいて、具現化されうる。ソフトウェアモジュールは、ランダムアクセスメモリ（ＲＡＭ）、フラッシュメモリ、読み出し専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバルディスク、ＣＤ−ＲＯＭ、あるいは当該技術分野において周知であるあらゆる他の形式の記憶媒体において存在しうる。実例となる記憶媒体は、プロセッサがこの記憶媒体から情報を読み取り、この記憶媒体に情報を書き込むことができるように、プロセッサに結合される。代替として、記憶媒体は、プロセッサに不可欠でありうる。プロセッサおよび記憶媒体は、ＡＳＩＣに存在しうる。ＡＳＩＣは、ユーザ端末に存在しうる。代替として、プロセッサと記憶媒体は、ユーザ端末においてディスクリートコンポーネントとして存在しうる。
【００３８】
[0043] １つまたは複数の実例となる実施形態では、記述された機能は、ハードウェア、ソフトウェア、ファームウェア、またはこれらのあらゆる組み合わせでインプリメントされうる。ソフトウェアでインプリメントされる場合には、機能は、コンピュータ可読媒体上で１つまたは複数の命令またはコードとして記憶または送信されうる。コンピュータ可読媒体は、１つの場所から別の場所へのコンピュータプログラムの転送を促進するあらゆる媒体を含む非トランジトリなコンピュータ記憶媒体および通信媒体の両方を含む。非トランジトリな記憶媒体は、コンピュータによってアクセスされうるあらゆる利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、データ構造または命令の形式で所望のプログラムコードを搬送または記憶するように使用されることができ、かつコンピュータによってアクセスされうるあらゆる他の媒体を備えることができる。さらに、あらゆる接続手段は適切にコンピュータ可読媒体と呼ばれる。例えば、ソフトウェアが、ウェブサイトから、サーバから、あるいは同軸ケーブル、ファイバ光ケーブル、撚り対、デジタル加入者線（ＤＳＬ）、または赤外線、無線、およびマイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ディスク（ｄｉｓｋ）およびディスク（ｄｉｓｃ）は、ここで使用される場合、コンパクトディスク（ｄｉｓｃ）（ＣＤ）、レーザーディスク（登録商標）（ｄｉｓｃ）、光学ディスク（ｄｉｓｃ）、デジタル多用途ディスク（ｄｉｓｃ）（ＤＶＤ）、フロッピー（登録商標）ディスク（ｄｉｓｋ）、およびブルーレイ（登録商標）ディスク（ｄｉｓｃ）を含み、ここにおいてディスク（ｄｉｓｋ）は通常、磁気的にデータを再生する一方で、ディスク（ｄｉｓｃ）は、レーザーを用いて光学的にデータを再生する。上の組み合わせは、また、コンピュータ可読媒体の範囲内に含まれるべきである。
【００３９】
[0044] 開示された実例となる実施形態の記述は、いかなる当業者であっても、本発明の製造または使用を可能にするように提供される。これらの実例となる実施形態への様々な変更は、当業者にとって容易に明らかであり、ここに定義された一般的な原理は、本発明の趣旨または範囲から逸脱することなく、他の実施形態にも適用されうる。したがって、本発明は、ここに提示された実例となる実施形態に限定されるようには意図されないけれども、ここに開示される原理および新規の特徴と一致する最も広い範囲を与えられるべきである。
以下に、本願出願の当初の特許請求の範囲に記載された発明を付記する。
［Ｃ１］
設定可能な効率を持つベースバンドフィルタと、
設定可能な効率を持ち、かつ前記ベースバンドフィルタに結合されたアップコンバータと、を備え、
前記ベースバンドフィルタおよび前記アップコンバータは、第１の出力電力範囲において第１の効率レベルで動作するように、ならびに第２の出力電力範囲において第２の効率レベルで動作するように構成される、装置。
［Ｃ２］
前記第２の効率レベルは、前記第１の効率レベルよりも高い、Ｃ１に記載の装置。
［Ｃ３］
選択された出力電力レベルに基づいて、前記第１または第２の効率レベルで動作するように、前記ベースバンドフィルタおよび前記アップコンバータを構成するように動作するコントローラをさらに備える、Ｃ１に記載の装置。
［Ｃ４］
前記第１の効率レベルは、クラスＡ動作モードによって提供され、前記第２の効率レベルは、クラスＡ／Ｂ、クラスＢ、およびクラスＣ動作モードのうちの１つによって提供される、Ｃ１に記載の装置。
［Ｃ５］
前記ベースバンドフィルタは、デジタルアナログコンバータ（ＤＡＣ）出力のＤＣレベルを低減するように構成されたＤＣブリード回路を備え、前記ＤＣブリード回路は、前記選択された出力電力レベルに基づいて前記第１または第２の効率レベルでの動作のために設定可能である、Ｃ３に記載の装置。
［Ｃ６］
前記ＤＣブリード回路は、前記ＤＡＣ出力に接続されたドレイン端子を持つトランジスタ、システム接地に接続されたソース端子、前記システム接地およびバイアス電圧のうちの１つに選択的に接続されたゲート端子を備える、Ｃ５に記載の装置。
［Ｃ７］
前記ベースバンドフィルタは、前記ＤＡＣ出力を受信し、整流された出力を作り出すように構成された整流器回路を備え、前記整流器回路は、前記選択された出力電力レベルに基づいて前記第１または第２の効率レベルでの動作のために設定可能である、Ｃ５に記載の装置。
［Ｃ８］
前記整流器回路は、前記ＤＣブリード回路に選択的に接続される、接続されたソース端子を持つ第１および第２のトランジスタを備える、Ｃ７に記載の装置。
［Ｃ９］
調整された整流された出力を生成するために、前記整流された出力を受信し、テール電流を取り除くように構成されたトランスインピーダンスループをさらに備え、トランスインピーダンス回路は、前記選択された出力電力レベルに基づいて前記第１または第２の効率レベルでの動作のために設定可能である、Ｃ７に記載の装置。
［Ｃ１０］
前記トランスインピーダンスループは、前記整流器回路と結合された第１、第２、および第３のトランジスタを備える、Ｃ９に記載の装置。
［Ｃ１１］
前記トランスインピーダンスループからの前記調整された整流された出力を増幅するように構成されたトランスコンダクタンスセルをさらに備え、前記トランスコンダクタンスセルは、前記選択された出力電力レベルに基づいて前記第１または第２の効率レベルでの動作のために設定可能である、Ｃ９に記載の装置。
［Ｃ１２］
前記トランスコンダクタンスセルは、前記トランスインピーダンスループに結合された少なくとも１つのトランジスタを備える、Ｃ１１に記載の装置。
［Ｃ１３］
前記第１の出力電力範囲は、前記第２の出力電力範囲よりも高い、Ｃ１に記載の装置。
［Ｃ１４］
フィルタされたベースバンド信号を生成するためにベースバンド信号をフィルタするための手段と、前記フィルタするための手段は、設定可能な効率を持ち、
無線周波数信号を生成するために前記フィルタされたベースバンド信号をアップコンバートするための手段と、前記アップコンバートするための手段は、設定可能な効率を有し、
第１の出力電力範囲において第１の効率レベルで動作するように、ならびに第２の出力電力範囲において第２の効率レベルで動作するように、前記フィルタするための手段および前記アップコンバートするための手段を構成するための手段と、
を備える、装置。
［Ｃ１５］
前記第２の効率レベルは、前記第１の効率レベルよりも高い、Ｃ１４に記載の装置。
［Ｃ１６］
前記第１の効率レベルは、クラスＡ動作モードによって提供され、前記第２の効率レベルは、クラスＡ／Ｂ、クラスＢ、およびクラスＣ動作モードのうちの１つによって提供される、Ｃ１４に記載の装置。
［Ｃ１７］
前記第１の出力電力範囲は、前記第２の出力電力範囲よりも高い、Ｃ１４に記載の装置。
［Ｃ１８］
フィルタされたベースバンド信号を生成するためにベースバンド信号をフィルタすることと、前記フィルタすることは、設定可能な効率で行われ、
無線周波数信号を生成するために前記フィルタされたベースバンド信号をアップコンバートすることと、前記アップコンバートすることは、設定可能な効率で行われ、
第１の出力電力範囲において第１の効率レベルで行われるように、ならびに第２の出力電力範囲において第２の効率レベルで行われるように、前記フィルタすることおよび前記アップコンバートすることを構成することと、
を備える、方法。
［Ｃ１９］
前記構成することは、前記フィルタすることおよび前記アップコンバートすることを構成することを備え、前記第１の効率レベルはクラスＡ動作によって提供され、前記第２の効率レベルはクラスＡ／Ｂ、クラスＢ、およびクラスＣ動作のうちの１つによって提供される、Ｃ１８に記載の方法。
［Ｃ２０］
前記構成することは、前記フィルタすることおよび前記アップコンバートすることを構成することを備え、前記第１の出力電力範囲は、前記第２の出力電力範囲よりも高い、Ｃ１８に記載の方法。
【図１】
0005813889.tif 000008
【図２】
0005813889.tif 000009
【図３】
0005813889.tif 000010
【図４】
0005813889.tif 000011
【図５】
0005813889.tif 000012
【図６】
0005813889.tif 000013